(57)【特許請求の範囲】
【請求項１】
縦方向に沿って分離可能に重ね合わされ、その重ね合わせ面を全面的に開口する開口部を有する一対のケース片によって構成され、ガラス板と保護シートを交互に立位状態で重ね合わせて収納する収納ケースと、
前記一方のケース片の隅角部を除く内底面及び一内側面部、さらに、前記他方のケース片の隅角部を除く天井面部及び一内側面部にそれぞれ配設され、高硬質性及び高滑性を有し、前記ガラス板の周端面部を受ける樹脂製のガラス受け部とを具備し、
前記ガラス板の収納時には、前記一対のケース片は分離されて縦置きされ、一方のケース片の開口部から前記ガラス板を立位状態で収納させたのち、他方のケース片を一方のケース片に重ね合わせることを特徴とするガラス板の収納装置。
【請求項２】
前記ガラス受け部は、振動を受けても磨耗粉を発生することがないことを特徴とする請求項１記載のガラス板の収納装置。
【請求項３】
前記ガラス板を収納した収納ケースは、縦置き状態で輸送されることを特徴とする請求項１又は２記載のガラス板の収納装置。
【発明の詳細な説明】
【技術分野】
【０００１】
本発明は、例えば、液晶セル（マザーガラス）を構成する大型薄板ガラスの輸送に適用されるガラス板の収納装置に関する。
【背景技術】
【０００２】
この種のガラス板の収納装置としては、例えば、図１４、或いは図１６に示すようなものが知れらている。
【０００３】
図１４に示すものは、上面が開口する収納ケース１０１が縦置きされ、この収納ケース１０１内に、ガラス板１０２を立位状態で複数枚収納するようになっている。
【０００４】
図１６に示すものは、上面が開口される収納ケース１０５が横置きされ、この収納ケース１０５内にガラス板１０２を水平状態に複数枚積層収納するようになっている。
【発明の開示】
【発明が解決しようとする課題】
【０００５】
しかしながら、図１４に示すものは、収納ケース１０１の内側壁面部に図１５にも示すように凹部１０３を連続的に形成し、これら凹部１０３内にガラス板１０２の両側部を差し込んで収納するため、ガラス板１０２間に隙間Ｓが形成される。このため、輸送時にガラス板１０２が強く振動を受けると、波打って割れてしまう虞があり、割れない場合でも、磨耗粉が生じてガラス板１０２を汚損してしまう不都合がある。また、ガラス板１０２間に隙間Ｓが形成される分だけ収納枚数が低下するため、輸送効率が低下するという問題もある。
【０００６】
図１６に示すものは、ガラス板１０２を水平状態で上下方向に積層するため、上部側に位置するガラス板１０２の荷重が下部側に位置するガラス板１０２に強くかかり、下部側のガラス板１０２にネジレが発生する虞があるとともに、ガラス板１０２間にゴミなどが入った場合には、圧痕が生じて不良品になってしまうという不都合がある。
【０００７】
本発明は上記事情に着目してなされたもので、その目的とするところは、ガラス板にネジレや圧痕を生じさせることなく収納でき、輸送時には、振動を受けてもガラス板が波打ったり、磨耗粉を発生させたりすることのないようにしたガラス板の収納装置を提供することにある。
【課題を解決するための手段】
【０００８】
上記課題を解決するため、請求項１記載の発明は、縦方向に沿って分離可能に重ね合わされ、その重ね合わせ面を全面的に開口する開口部を有する一対のケース片によって構成され、ガラス板と保護シートを交互に立位状態で重ね合わせて収納する収納ケースと、前記一方のケース片の隅角部を除く内底面及び一内側面部、さらに、前記他方のケース片の隅角部を除く天井面部及び一内側面部にそれぞれ配設され、高硬質性及び高滑性を有し、前記ガラス板の周端面部を受ける樹脂製のガラス受け部とを具備し、前記ガラス板の収納時には、前記一対のケース片は分離されて縦置きされ、一方のケース片の開口部から前記ガラス板を立位状態で収納させたのち、他方のケース片を一方のケース片に重ね合わせることを特徴とする。
【発明の効果】
【０００９】
本発明によれば、収納ケース内に複数枚のガラス板と保護シートを立位状態で交互に重ね合わせて収納するため、ガラス板間に隙間が生じることがない。
【００１０】
従って、輸送時に振動を受けてもガラス板が波打って割れてしまう虞がないとともに、収納枚数も増大でき、輸送効率を向上できる。
【００１１】
また、ガラス板の周端面部は、高硬質性及び高滑性を有するガラス受け部によって受けるため、振動を受けても磨耗粉を発生することがなく、ガラス板を汚損することもない。
【００１２】
さらに、複数枚のガラス板を立位状態で収納するため、ガラス板を水平状態に収納した場合のように、上部側のガラス板の荷重が下部側のガラス板にかかることがなく、自重のみがかかる。従って、ガラス板にネジレを発生させることもなく、また、ガラス板間にゴミなどが入った場合でも圧痕を生じることがなく、良好な収納が可能になる。
【００１３】
また、収納ケース内に複数枚のガラス板を立位状態で重ね合わせて収納するため、収納ケースとガラス板に一体性を持たせて強度を高めることができ、その分、薄型化が可能となる。
【発明を実施するための最良の形態】
【００１４】
以下、本発明の実施の形態を図面を参照して詳細に説明する。  
図１は本発明の一実施の形態であるガラス板の収納装置を分離して示す斜視図である。
【００１５】
収納装置は収納ケース１を有し、この収納ケース１は縦置きされ、縦方向に沿って分離
可能な一対のケース片２，３によって構成されている。
【００１６】
図２は一方のケース片（以下、ケース本体という）２を示す正面図で、図３はその側断面図、図４はその平断面図である。
【００１７】
ケース本体２は、背面部２ａと、この背面部２ａの上部に形成される天井面部２ｂと下部に形成される底面部２ｃと、背面部２ａの両側部に形成される側面部２ｄ，２ｅとを有して構成されている。ケース本体２の背面部２ａの内面側には緩衝材４が貼り付けられている。ケース本体２の底面部２ｃの上面と側面部２ｄの内面にはそれぞれ高硬質性及び高滑性を有する例えばポリプロピレン製のガラス受け部５ａ，５ｂが配設されている。また、ケース本体２の前端面部には、その全周に沿って四角形をなすように枠状の突起部６が一体に突設されている。
【００１８】
なお、図５及び図６に示すようにケース本体２の背面部２ａの正面下部側には溝部１０ａが水平方向に沿って形成され、一側部には溝部１０ｂが垂直方向に沿って形成されている。上記したガラス受け部５ａは、その後端部が溝部１０ａに嵌合されて固定され、ガラス受け部５ｂはその後端部が溝部１０ｂに嵌合されて固定されるようになっている。
【００１９】
図７は他方のケース片（以下、ケース蓋という）３を示す正面図で、図８はその側断面図、図９はその平断面図である。
【００２０】
ケース蓋３は、背面部３ａと、この背面部３ａの上部に形成される天井面部３ｂと下部に形成される底面部３ｃと、背面部３ａの両側部に形成される側面部３ｄ，３ｅとを有して構成されている。ケース蓋３の背面部３ａの内面側には緩衝材７が貼り付けられている。ケース蓋３の天井面部３ｂの内面と側面部３ｄの内面にはそれぞれ高硬質性及び高滑性を有する例えばポリプロピレン製のガラス受け部８ａ，８ｂが配設されている。また、ケース蓋３の前端面部にはその全周に沿って四角形をなすように凹部１１が形成されている。
【００２１】
なお、図１０に示すようにケース蓋３の背面部３ａの正面一側部には溝部１２が上下方向に沿って形成され、正面上部側には溝部（図示しない）が水平方向に沿って形成されている。上記したガラス受け材８ｂは溝部１２にその後端部が嵌合されて固定され、上記したガラス受け材８ａは上部側の溝部（図示しない）に後端部が嵌合されて固定されるようになっている。
【００２２】
次に、ガラス板の梱包方法について説明する。
【００２３】
まず、図１１に示すように、収納ケース１をケース本体２とケース蓋３とに分離し、ケース本体２を縦置きする。そして、このケース本体２内に保護シート１３を緩衝材４に沿うように収納したのち、一枚目のガラス板１４を立位状態で収納する。こののち、一枚目のガラス板１４上に保護シート１３を重ね合わせ、ついで、二枚目のガラス板１４をケース本体２内に収納する。以後、順次同様にして図１２にも示すように保護シート１３、ガラス板１４の順で交互に収納する。そして、ガラス板１４を所定枚数収納し終えたらケース本体２にケース蓋３を組み付けてその突起部６と凹部１１とを互いに嵌合させて収納ケース１を構成する。このとき、収納された所定枚数のガラス板１４の周端面部（上下端面及び両側端面）は、ガラス受け部５ａ，５ｂ、８ａ、８ｂにそれぞれ接触されて受けられる。
【００２４】
このように収納ケース１を構成したのちは、図１３に示すように、プラスチイック製のバンド１６で収納ケース１を縦横に結束して外装ケース１７内に挿入して目的地へ輸送する。
【００２５】
上記したように、この実施の形態によれば、収納ケース１内に複数枚のガラス板１４と保護シート１３を立位状態で交互に重ね合わせて収納するため、ガラス板１４間に隙間が生じることがない。従って、輸送時に振動を受けてもガラス板１４が波打って割れてしまう虞がないとともに、収納枚数も増大でき、輸送効率を向上できる。
【００２６】
また、ガラス板１４の周端面部は、高硬質性及び高滑性を有するガラス受け部５ａ，５ｂ、８ａ，８ｂによって受けられるため、振動を受けても磨耗粉を発生することがなく、ガラス板１４を汚損することもない。
【００２７】
さらに、複数枚のガラス板１４を立位状態で収納するため、ガラス板１４を水平状態に収納した場合のように、上部側のガラス板の荷重が下部側のガラス板にかかることがなく、自重のみがかかる。従って、ガラス板１４にネジレを発生させることがなく、また、ガラス板１４間にゴミが入った場合でも圧痕を生じることがなく、良好な収納が可能になる。
【００２８】
また、収納ケース１内に複数枚のガラス板１４を立位状態で重ね合わせて収納するため、収納ケース１とガラス板１４に一体性を持たせて強度を高めることができ、その分、収納ケースの薄型化が可能となる。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３０】
【図１】本発明の一実施の形態であるガラス板の収納ケースを分離して示す斜視図。
【図２】図１のケース本体を示す正面図。
【図３】図２のケース本体を示す側断面図。
【図４】図２のケース本体を示す平断面図。
【図５】図２のケース本体の一部を拡大して示す図。
【図６】図４のケース本体の一部を拡大して示す図。
【図７】図１のケース蓋を示す正面図。
【図８】図７のケース蓋を示す側断面図。
【図９】図７のケース蓋を示す平断面図。
【図１０】図９のケース蓋の一部を拡大して示す図。
【図１１】図１の収納ケースに対するガラス板の収納動作を示す図。
【図１２】図１１の収納ケースに収納されたガラス板の状態を示す図。
【図１３】図１１の収納ケースがバンドで結束されて外装ケースに収納される状態を示す図。
【図１４】第１の従来例である収納ケースを示す斜視図。
【図１５】図１４の収納ケースの一部を拡大して示す平面図。
【図１６】第２の従来例である収納ケースを示す斜視図。
【符号の説明】
【００３１】
１…収納ケース、２…ケース本体（一方のケース片）、３…ケース蓋（他方のケース片）、５ａ，５ｂ…ガラス受け部、８ａ，８ｂ…ガラス受け部、１３…保護シート、１４…ガラス板。
【図１】
0005068622.tif 000002
【図２】
0005068622.tif 000003
【図３】
0005068622.tif 000004
【図４】
0005068622.tif 000005
【図５】
0005068622.tif 000006
【図６】
0005068622.tif 000007
【図７】
0005068622.tif 000008
【図８】
0005068622.tif 000009
【図９】
0005068622.tif 000010
【図１０】
0005068622.tif 000011
【図１１】
0005068622.tif 000012
【図１２】
0005068622.tif 000013
【図１３】
0005068622.tif 000014
【図１４】
0005068622.tif 000015
【図１５】
0005068622.tif 000016
【図１６】
0005068622.tif 000017